(57)【要約】【課題】従来の光ディスク記録再生部とＨＤＤ部を有したディスク装置を内蔵したＤＶＤレコーダの例では、ＨＤＤ部の磁気ディスクに記録した情報を光ディスク記録再生部の光ディスクに移す場合、あるいは逆に、光ディスク記録再生部の光ディスクに記録した情報をＨＤＤ部の磁気ディスクに移す場合、ＨＤＤ部側のホストインターフェイス、レコーダのホスト部および光ディスク記録再生部側のホストインターフェイスを夫々経由してデータが送られるので伝送路の負荷が大きい。このため、ＨＤＤの記録再生時のデータ転送が高速という特徴を十分に活かしきれない。【解決手段】光ディスク記録再生部およびＨＤＤ部のホストインターフェイスを共用とする構成とする。【選択図】  図１
2005063480.tif 000002
【特許請求の範囲】
【請求項１】
光ディスクに情報の記録及び／または光ディスクから再生する光ディスク記録再生部と、磁気ディスクに情報の記録及び／または磁気ディスクから再生する磁気ディスク記録再生部とを備えたディスク装置であって、
前記光ディスク記録再生部および前記磁気ディスク記録再生部のホストインターフェイスを共用とする構成としたことを特徴とするディスク装置。
【請求項２】
光ディスクに情報の記録及び／または光ディスクから再生する光ディスク記録再生部と、磁気ディスクに情報の記録及び／または磁気ディスクから再生する磁気ディスク記録再生部とを備えたディスク装置であって、
前記光ディスク記録再生部および磁気ディスク記録再生部の間を伝送路で直結した構成としたことを特徴とするディスク装置。
【発明の詳細な説明】
【０００１】
【発明の属する技術分野】
本発明は、光ディスク記録再生部と磁気ディスク記録再生部を有したディスク装置に関するもので、特に、磁気ディスク及び光ディスク間での情報の伝送を効率的に行なうのに好適なディスク装置の構成に関する。
【０００２】
【従来の技術】
光ディスクの高密度記録化が進んでいる。  赤色レーザ光源を用いるＤＶＤ（Ｄｉｇｉｔａｌ  Ｖｅｒｓａｔｉｌｅ  Ｄｉｓｃ）では、書換型のＤＶＤ−ＲＡＭ、ＤＶＤ−ＲＷおよびＤＶＤ＋ＲＷ、追記型のＤＶＤ−ＲおよびＤＶＤ＋Ｒの各種ディスクがある。いずれも１２ｃｍ径ディスク片面単層の記録容量は４．７Ｇバイトであり、約２時間のＴＶ画質の映像記録が可能となった。さらに、青紫色レーザ光源を用いるＢｌｕ−ｒａｙ  Ｄｉｓｃでは、１２ｃｍ径ディスク片面単層の記録容量が２５Ｇバイト前後に増加し、ＨＤＴＶ画質の映像を２時間以上記録できる。これにより、パソコン用途に加えて、ＴＶ映像録画用途に上記のディスクを使用する光ディスク装置が急速に普及している。
【０００３】
一方、ハード・ディスク（Ｈａｒｄ  Ｄｉｓｃ）と呼ぶ磁気ディスクの高密度記録化も著しい。  これに伴い、磁気ディスクも小径化され、３．５インチ、２．５インチ更には１．８インチ、１インチも実用化されている。これらのディスクを用いる磁気ディスク装置（Ｈａｒｄ  Ｄｉｓｃ  Ｄｒｉｖｅ、以下ＨＤＤと呼ぶ）も、パソコン以外にＴＶ映像録画等に用途拡大が進んでいる。
【０００４】
ここで、光ディスクは、リムーバブルメディアであり、装置外に取り出して記録情報を長期間保存しておくのに便利である。  これに対して、磁気ディスクは、例えば３．５インチ１枚当たり４０Ｇバイト以上と大容量ではあるがリムーバブルメディアではないため、装置内で記録情報を一時保存するのに向いている。
この両者の特徴を活かしたディスク装置の第１の従来例として、ＨＤＤを搭載したＤＶＤレコーダがある。この従来技術を、図５により説明する。
【０００５】
図において、１００はＤＶＤレコーダであり、筐体１０１の中に、ＤＶＤレコーダ全体としてのシステム制御を行なうホスト２００、光ディスク記録再生部３００およびＨＤＤ部４００を内包している。光ディスク記録再生部３００において、３０１はＤＶＤ−ＲＡＭ等の記録型の光ディスク、３０２は該ディスク３０１を所定の回転数で駆動するディスクモータ、３０３はレーザから出射された光を対物レンズを含む光学系から前記光ディスク３０１の記録面に集光してデータを書き込み、あるいは記録面からの反射光を検出器に戻して記録済みのデータを読み出しする光ピックアップ、３０４は該光ピックアップ３０３の突起部と契合して半径方向に移動させるためのリードスクリュー３０５を回転駆動するためのシークモータである。３０６は前記ディスクモータ３０２、シークモータ３０４及び前記対物レンズをフォーカス方向およびトラッキング方向に移動されるためのアクチュエータを夫々駆動するための第３の駆動手段、３０７は第３の信号処理手段である。該第３の信号処理手段３０７において、記録時には前記ホスト２００から送られてくるＴＶ映像等の情報信号を第３のホストインターフェイス３０８を介して受取り、エラー訂正コード付加後に光ディスクの記録に適した符号列に変換する変調を行なう。この符号列は、前記光ピックアップ３０３に配置された記録増幅器により方形波状の電気信号に変換されてレーザに加えられる。また、再生時には前記光ピックアップ３０３の検出器で光電変換後に増幅されて送り出されたアナログ信号を受取り、デジタル信号に変換後、検出した符号列にエラー訂正処理等を施して原信号に復調して前記第３のホストインターフェイスを経由してホスト２００に転送する。これに加えて、該第３の信号処理手段３０７は、前記対物レンズを含めた光学系の前記光ディスク３０１に対する位置決めに使用する位置情報を前記光ピックアップ３０３の検出器を経由して取り出し、前記第３の駆動手段３０６に送る機能も有している。  ３０９は光ディスク記録再生部３００での記録再生動作を制御する第３のシステム制御手段である。
【０００６】
一方、ＨＤＤ部４００において、４０１は磁気ディスク、４０２は該ディスク４０１を所定の回転数で駆動するディスクモータ、４０３はサスペンションの先端に取り付けられた磁気ヘッド、４０４は該磁気ヘッド４０３を半径方向に移動させるためにサスペンションを回転駆動するためのボイスコイルモータ、４０５はヘッドアンプである。４０６は前記ディスクモータ４０２およびボイスコイルモータを夫々駆動するための第４の駆動手段、４０７は第４の信号処理手段である。前記の光ディスク記録再生部３００の場合と同様に、該第４の信号処理手段４０７において、記録時には、前記ホスト２００から送られていくＴＶ映像等の情報信号を第４のホストインターフェイス４０８を介して受取り、エラー訂正コード付加後に磁気ディスクの記録に適した符号列に変換する変調を行なう。その後、磁気ディク４０１上に形成される磁化反転点のずれを考慮して前記ヘッドアンプ４０５を経由して前記磁気ヘッドに記録電流を流すタイミングをシフトする記録補償を行なう。  また、再生時には、前記磁気ヘッド４０３での読出し後に前記ヘッドアンプ４０５で増幅されたアナログ信号を受取り、デジタル信号に変換後、検出した符号列にエラー訂正処理を行い原信号に復調して、第４のホストインターフェイスを経由してホスト２００に転送する。  これに加えて、該第４の信号処理手段４０７は、前記ヘッド４０３の前記磁気ディスク４０１に対する位置決めに使用する位置情報を前記ヘッドアンプ４０５を経由して取り出し、前記第４の駆動手段４０６に送る機能も有している。  ４０９は磁気ディスク記録再生部４００での記録再生動作を制御する第４のシステム制御手段である。４１０は前記ディスク４０１および磁気ヘッド４０３間の狭い隙間に塵等の異物が入り込まないようにするための密閉筐体である。なお、上記の磁気ディスク記録部の構成及び動作については、例えば参考文献として非特許文献１に開示されている。
【０００７】
また、ディスク装置の第２の従来例として、特許文献１等がある。この文献１には、撮像装置の記録手段として、該撮像装置から夫々取り外して他の機器に装着して他の機器において撮像結果を処理することができる光ディスク記録再生部とＨＤＤ部を備えた構成が開示されている。この構成において、振動や衝撃等により光ディスク記録再生部での記録が困難な場合に、撮像装置のホストを経由してＨＤＤ部に記録された撮像結果を光ディスク記録再生部に送る補助の記録手段として働く。
【０００８】
【非特許文献１】
岡村編著、“ハードディスク装置の構造と応用”、ＣＱ出版社
【特許文献１】
特開平１３−１５５４７４号公報（第１−４頁、第１図、第２図）
【０００９】
【発明が解決しようとする課題】
前記のディスクの第１の従来例では、ＨＤＤ部４００の磁気ディスク４０１に記録した情報を光ディスク記録再生部３００の光ディスク３０１に移す場合、あるいは逆に、光ディスク記録再生部３００の光ディスク３０１に記録した情報をＨＤＤ部４００の磁気ディスク４０１に移す場合、ＨＤＤ部側の第２のホストインターフェイス４０８、ホスト２００および光ディスク記録再生部側の第１のホストインターフェイス３０８を夫々経由してデータが送られるので伝送路の負荷が大きい。このため、ＨＤＤの記録再生時のデータ転送が高速という特徴を十分に活かしきれず、上記の動作中にＨＤＤ部４００の磁気ディスク４０１に別のＴＶ映像等の情報をホスト２００を介して記録したり、或いはＨＤＤ部４００の磁気ディスク４０１から別の情報をホスト２００を介して再生するのが難しい。
【００１０】
本発明の目的は、光ディスク記録再生部とＨＤＤ部を備えたディスク装置において、両記録再生部間を結ぶ伝送路のデータ転送負荷を軽減して、ＨＤＤ部の記録再生時のデータ転送が高速という特徴を更に一層活かせるようにする。
【００１１】
【課題を解決するための手段】
本発明は以下の手段を用いることにより実現する。
【００１２】
光ディスクに情報の記録及び／または再生する光ディスク記録再生部と、磁気ディスクに情報の記録及び／または再生する磁気ディスク記録再生部とを備えたディスク装置であって、前記光ディスク記録再生部および前記磁気ディスク記録再生部のホストインターフェイスを共用とする構成とする。
【００１３】
また、前記光ディスク記録再生部および磁気ディスク記録再生部の間を伝送路で直結した構成とする。
【００１４】
【発明の実施の形態】
以下に本発明の実施例を図１〜図４により説明する。
図１は第１の実施例のディスク装置のブロック構成図を示したものである。
図において、２０はホストである。１０は第１のディスク装置であり、筐体１１の中に、第１の光ディスク記録再生部３０および第１の磁気ディスク記録再生部（以後、ＨＤＤ部）４０を内包している。第１の光ディスク記録再生部３０において、３１はＤＶＤ−ＲＡＭ、ＤＶＤ−Ｒ、ＤＶＤ−ＲＷ、ＤＶＤ＋Ｒ、ＤＶＤ＋ＲＷあるいはＢｌｕ−ｒａｙ  Ｄｉｓｃ等の記録型の光ディスク、３２は該ディスク３１を所定の回転数で駆動するディスクモータ、３３はレーザから出射された光を対物レンズを含む光学系から前記光ディスク３１の記録面に集光してデータを書き込み、あるいは記録面からの反射光を検出器に戻して記録済みのデータを読み出しする光ピックアップ、３４は該光ピックアップ３３の突起部と契合して半径方向に移動させるためのリードスクリュー３５を回転駆動するためのシークモータである。３６は前記ディスクモータ３２、シークモータ３４及び前記対物レンズをフォーカス方向およびトラッキング方向に移動されるためのアクチュエータを夫々駆動するための第１の駆動手段、３７は第１の信号処理手段である。
【００１５】
該第１の信号処理手段３７において、記録時には前記ホスト２０から送られてくるＴＶあるいはＨＤＴＶ映像等の情報信号を第１のホストインターフェイス３８を介して受取り、あるいは後述の第１のＨＤＤ部４０で再生された情報信号を第２の信号処理手段から第１のホストインターフェイス３８を経由しない伝送路により直接的に受取り、エラー訂正コード付加後に光ディスクの記録に適した符号列に変換する変調を行なう。この符号列は、前記光ピックアップ３３に配置された記録増幅器により方形波状の電気信号に変換されてレーザに加えられる。
【００１６】
また、再生時には前記光ピックアップ３３の検出器で光電変換後に増幅されて送り出されたアナログ信号を受取り、デジタル信号に変換後、検出した符号列にエラー訂正処理等を施して原信号に復調して前記第１のホストインターフェイスを経由してホスト２０に転送、あるいは後述の第１のＨＤＤ部４０の第２の信号処理手段に第１のホストインターフェイス３８、ホスト２０を経由しない伝送路により直接的に転送する。
【００１７】
これに加えて、該第１の信号処理手段３７は、前記対物レンズを含めた光学系の前記光ディスク３１に対する位置決めに使用する位置情報を前記光ピックアップ３３の検出器を経由して取り出し、前記第１の駆動手段３６に送る機能も有している。  ３９は第１の光ディスク記録再生部３０での記録再生動作を制御する第１のシステム制御手段である。
【００１８】
一方、第１のＨＤＤ部４０において、４１は磁気ディスク、４２は該ディスク４１を所定の回転数で駆動するディスクモータ、４３はサスペンションの先端に取り付けられた磁気ヘッド、４４は該磁気ヘッド４３を半径方向に移動させるためにサスペンションを回転駆動するためのボイスコイルモータ、４５はヘッドアンプである。４６は前記ディスクモータ４２およびボイスコイルモータを夫々駆動するための第２の駆動手段、４７は第２の信号処理手段である。
【００１９】
該第２の信号処理手段４７において、記録時には、前記の光ディスク記録再生部３０の第１の信号処理手段３７から第１のホストインターフェイス３８、ホスト２０を経由しない伝送路によりＴＶあるいはＨＤＴＶ映像等の情報信号を直接的に受取り、エラー訂正コード付加後に磁気ディスクの記録に適した符号列に変換する変調を行なう。その後、磁気ディク４１上に形成される磁化反転点のずれを考慮して前記ヘッドアンプ４５を経由して前記磁気ヘッドに記録電流を流すタイミングをシフトする記録補償を行なう。
【００２０】
また、再生時には、前記磁気ヘッド４３での読出し後に前記ヘッドアンプ４５で増幅されたアナログ信号を受取り、デジタル信号に変換後、検出した符号列にエラー訂正処理を行い原信号に復調して、第１のホストインターフェイス３８、ホスト２０を経由しない伝送路により前記の光ディスク記録再生部３０の第１の信号処理手段３７に転送する。この先、該情報は、前記光ディスク３１に記録する場合には第１の信号処理手段３７から前記光ピックアップ３３に、また、ホスト２０に送り出す場合には第１の信号処理手段３７から第１のホストインターフェイスに送られる。
【００２１】
また、該第２の信号処理手段４７は、前記ヘッド４３の前記磁気ディスク４１に対する位置決めに使用する位置情報を前記ヘッドアンプ４５を経由して取り出し、前記第２の駆動手段４６に送る機能も有している。
【００２２】
４９は磁気ディスク装置４０での記録再生動作を制御する第２のシステム制御手段である。７１は前記ディスク４１および磁気ヘッド４３間の狭い隙間に塵等の異物が入り込まないようにするための密閉筐体である。
【００２３】
上記の実施例において、光ディスク記録再生部３０の第１のシステム制御手段３９とＨＤＤ部４０の第２のシステム制御手段４９とは伝送路で直接的に接続されており、連携して上記の記録再生動作を制御する。
【００２４】
次に、図２を用いて第２の実施例について説明する。
５０は第２のディスク装置であり、筐体５１の中に、第２の光ディスク記録再生部６０および第２のＨＤＤ部７０を内包している。
【００２５】
第１の実施例との違いは、ＨＤＤ部７０に第２のホストインターフェイス４８が備わっており、光ディスク記録再生部６０はホストインターフェイスを有していない点である。その他の構成要素は同一であり、同じ番号を付してある。
【００２６】
ここで、ＨＤＤ部７０の第２の信号処理手段４７において、記録時にはホスト２０から送られてくるＴＶあるいはＨＤＴＶ映像等の情報信号を第２のホストインターフェイス４８を介して受取り、あるいは第２の光ディスク記録装置部６０で再生された情報信号を第１の信号処理手段３７から第２のホストインターフェイス４８を経由しない伝送路により直接的に受取り、エラー訂正コード付加後に磁気ディスクの記録に適した符号列に変換する変調を行なう。その後、磁気ディク４１上に形成される磁化反転点のずれを考慮して前記ヘッドアンプ４５を経由して前記磁気ヘッド４３に記録電流を流すタイミングをシフトする記録補償を行なう。
【００２７】
また、再生時には、前記磁気ヘッド４３での読出し後に前記ヘッドアンプ４５で増幅されたアナログ信号を受取り、デジタル信号に変換後、検出した符号列にエラー訂正処理を行い原信号に復調して、第２のホストインターフェイス４８を経由してホスト２０に転送、あるいは第２の光ディスク記録再生部６０の第１の信号処理手段３７に転送する。
【００２８】
また、第２の光ディスク記録再生部６０の第１の信号処理手段部３７において、記録時にはＨＤＤ部７０の第２の信号処理手段４８から送られてくるＴＶあるいはＨＤＴＶ映像等の情報信号を第２のホストインターフェイス４８、ホスト２０を経由しない伝送路により直接的に受取り、エラー訂正コード付加後に光ディスクの記録に適した符号列に変換する変調を行なう。この符号列は、前記光ピックアップ３３に配置された記録増幅器により方形波状の電気信号に変換されてレーザに加えられる。
【００２９】
また、再生時には前記光ピックアップ３３の検出器で光電変換後に増幅されて送り出されたアナログ信号を受取り、デジタル信号に変換後、検出した符号列にエラー訂正処理等を施して原信号に復調して第２のＨＤＤ部７０の第２の信号処理手段４７に第２のホストインターフェイス４８、ホスト２０を経由しない伝送路により直接的に転送する。
【００３０】
上記の第１の実施例及び第２の実施例の構成とすることにより、ＨＤＤ部と光ディスク記録再生部間で情報をやり取りする場合、ホスト及びホストインターフェイスを経由しないため、伝送路負荷を軽減できる。これにより、例えば、光ディスク記録再生部の光ディスクに記録した情報をＨＤＤ部の磁気ディスクに移す場合、移している最中でも別のＴＶあるいはＨＤＴＶ映像等の情報をホストを介して記録したり、或いはＨＤＤ部の磁気ディスクで再生した別の情報をホストを介して外部へ送り出すことが可能となる。
【００３１】
上記の実施例におけるホスト２０の例として、例えば、デジタル・ビデオ・レコーダでは、マイコン等を備えたシステム制御手段、ライン入出力手段、ＴＶあるいはＨＤＴＶチューナー手段、ＡＤ変換手段、フレームＴＢＣやＤＮＲ（Ｄｉｇｉｔａｌ  Ｎｏｉｓｅ  Ｒｅｄｕｃｔｉｏｎ）処理等を行なうグラフィック手段、映像音声符号化／復号化手段、ストリームバッファー手段、ＤＡ変換手段等から構成される。
【００３２】
次に本発明のディスク装置の第３の実施例について、図３を用いて説明する。図において、図１および図２で示したのと同じ構成要素には同一の番号を付している。
【００３３】
図３（ａ）は、光ディスク３１がディスクモータ３２に装着されて記録再生が可能な状態を示す。図３（ｂ）は、光ディスク３１をディスク装置８０に対して矢印Ｃ方向に排出するあるいは挿入するローディング動作中の状態を示す。このローディング動作中では、光ディスク３１をディスクモータ３２から離間させるため、図示しないシャシに搭載されたディスクモータ３２、リードスクリュー３５付きシークモータ３４および光ピックアップ３３を一体的に支点８８を中心に角度Ｂだけ反時計周り方向に回動させる。ここで、７１はＨＤＤ部の磁気ディスク４１、ディスクモータ４２、磁気ヘッド４３、ボイスコイルモータ４４およびヘッドアンプ４５を内包した密閉筐体であり、ディスク装置８０の筐体８１の底面部に対して角度Ｄだけ常時傾斜して保持されている。８２は回路基板であり、この基板上に、前記の第１の駆動手段３６、第１の信号処理手段３７、第１のホストインターフェイス３８あるいは第２のホストインターフェイス３９、第２の駆動手段４７、第２の信号処理手段４７を形成する各回路素子８４、８５、８６、８７およびホスト２０と接続されるコネクタ８３等が搭載されている。８９は上記のローディング動作での回動を行なうための昇降駆動部である。
【００３４】
上記の構成により、回路基板上への回路素子の配置を例えば、厚さ寸法の大きいコネクタ８３や回路素子８４（コンデンサ等）を支点８８に近い側へ、薄い回路素子８５（ＬＳＩやチップ抵抗等）を支点８８から遠い側へ設定することにより、高密度な実装が出来、この結果、ディスク装置の小型化が図れる。
なお、上記の実施例では、回路基板を１枚で構成しているが、これに限らず回路基板を２枚以上に分割しても同等の高密度実装効果が得られる。
【００３５】
次に本発明のディスク装置の第４の実施例について、図４を用いて説明する。図において、図１および図２で示したのと同じ構成要素には同一の番号を付している。
【００３６】
図４（ａ）は、光ディスク３１がディスクモータ３２に装着されて記録再生が可能な状態を示すディスク装置９０の平面図である。図４（ｂ）は、平面図（ａ）において矢印Ｘ方向位置から見た側面図である。ここで、ディスクモータ３２に装着された光ディスク３１に対して、光ピックアップ３３が矢印Ｅ方向に移動可能なようにリードスクリュー３５およびシークモータ３４が配置されている。
【００３７】
一方、磁気ディスク４１、ディスクモータ４２、磁気ヘッド４３、ボイスコイルモータ４４、ヘッドアンプ４５を内包した密閉筐体７１は、前記光ディスク３１の下方スペースに配置されている。すなわち、上記光ディスク記録再生部の構成要素の内、光ディスク３１の一部のみがＨＤＤ部の密閉筐体７１の少なくとも一部とディスク装置９０の筐体９１の厚さ方向の投影で重なるように配置されている。また、９２は回路基板であり、この基板上に、前記の第１の駆動手段３６、第１の信号処理手段３７、第１のホストインターフェイス３８あるいは第２のホストインターフェイス３９、第２の駆動手段４７、第２の信号処理手段４７を形成する各回路素子９４、９５、９６、９７およびホスト２０と接続されるコネクタ９３等が搭載されている。これにより、光ディスク装置９０の各構成要素を高密度に配置することができ、その結果、光ディスク装置９０の小型薄型化が図れる。
なお、上記の実施例では、回路基板を１枚で構成しているが、これに限らず回路基板を２枚以上に分割しても同等の高密度実装効果が得られる。
【００３８】
また、図４において、５０１は光ディスク記録再生部を筐体９１に懸架する第１の弾性部材（バネ）あるいは粘弾性部材（ゴム）であり、５０２はＨＤＤ部の密閉筐体７１を筐体９１に懸架する第２の弾性部材（バネ）あるいは粘弾性部材（ゴム）である。ここで、第２の弾性部材あるいは粘弾性部材と密閉筐体７１で形成される振動系の共振周波数Ｆ１が光ディスク３１の回転周波数Ｆ２に一致した設定とする。これにより、偏心質量を有した光ディスク３１を使用して記録再生を行なう場合に発生する振動を粘弾性部材と密閉筐体７１で形成される振動系でキャンセルすることができ、余分な部材を付加することなしにディスク装置９０の制振が図れる。
【００３９】
なお、上記の実施例において、光ディスク記録再生部およびＨＤＤ部の夫々の信号処理手段、システム制御手段、駆動手段及びホストインターフェイスを混在させて、１つあるいは複数のＬＳＩに集積化することによりディスク装置の小型化および低コスト化が図れる。
【００４０】
【発明の効果】
光ディスク記録再生部とＨＤＤ部間で情報のやり取りを低伝送路負荷で実現でき、ＨＤＤ部のデータ転送の速さを活かした機能を実現できる。
【図面の簡単な説明】
【図１】本発明の第１の実施例を示した図で、ディスク装置のブロック構成図である。
【図２】本発明の第２の実施例を示した図で、ディスク装置のブロック構成図である。
【図３】本発明の第３の実施例を示した図で、ディスク装置の配置構成図である。
【図４】本発明の第４の実施例を示した図で、ディスク装置の配置構成図である。
【図５】従来例を示した図で、従来のディスク装置のブロック構成図である。
【符号の説明】
１０…第１のディスク装置、
１１…筐体、
２０…ホスト、
３０…第１の光ディスク記録再生部、
３１…光ディスク、
３２…ディスクモータ、
３３…光ピックアップ、
３４…リードスクリュー、
３５…シークモータ、
３６…第１の駆動手段、
３７…第１の信号処理手段、
３８…第１のホストインターフェイス、
３９…第１のシステム制御手段、
４０…第１のＨＤＤ、
４１…磁気ディスク、
４２…ディスクモータ、
４３…磁気ヘッド、
４４…ボイスコイルモータ、
４５…ヘッドアンプ、
４６…第２の駆動手段、
４７…第２の信号処理手段、
４８…第２のホストインターフェイス、
４９…第２のシステム制御手段、
５０…第２のディスク装置、
５１…筐体、
６０…第２の光ディスク記録再生部、
７０…第２のＨＤＤ部、
７１…密閉筐体、
８０…ディスク装置、
８１…筐体、
８２…回路基板、
８３…コネクタ、
８４、８５、８６、８７…回路素子、
８８…支点、
８９…昇降駆動部、
９０…光ディスク装置、
９１…筐体、
９２…回路基板、
９３…コネクタ、
９４、９５、９６、９７…回路素子、
５０１、５０２…弾性部材（粘弾性部材）
１００…ＤＶＤレコーダ、
１０１…筐体、
２００…ホスト、
３００…光ディスク記録再生部、
３０１…光ディスク、
３０２…ディスクモータ、
３０３…光ピックアップ、
３０４…シークモータ、
３０５…リードスクリュー、
３０６…第３の駆動手段、
３０７…第３の信号処理手段、
３０８…第３のホストインターフェイス、
３０９…第３のシステム制御手段、
４００…ＨＤＤ部、
４０１…磁気ディスク、
４０２…ディスクモータ、
４０３…磁気ヘッド、
４０４…ボイスコイルモータ、
４０５…ヘッドアンプ、
４０６…第４の駆動手段、
４０７…第４の信号処理手段、
４０８…第４のホストインターフェイス、
４０９…第４のシステム制御手段、
４１０…密閉筐体。
【図１】
2005063480.tif 000003
【図２】
2005063480.tif 000004
【図３】
2005063480.tif 000005
【図４】
2005063480.tif 000006
【図５】
2005063480.tif 000007